(57)【要約】      （修正有）【課題】オーブン用滑りレールを提供する。【解決手段】滑りレール組１と戻り装置２とを備え、滑りレール組１に外側レール１１を設け、外側レールに内側レール１２を内設する。戻り装置に金属板材を折り曲げ加工して成形する固定部材２１と、連動部材２２とを設け、固定部材を外側レール表面の末端部に固定され、固定部材の表面に案内溝を埋設する。連動部材を固定部材の表面に設け、案内溝にて往復移動自在と旋転固定できる。内側レールは外側レール内部にて移動しているときに、連動部材の復帰固定によって、全体構造は高温に耐えられ製造コストを軽減できる。【選択図】図１
0003160974.tif 000002
【実用新案登録請求の範囲】
【請求項１】
滑りレールに滑りレール組と戻り装置を設け、前記滑りレール組に外側レールを設け、前記外側レールは前記外側レールの内部に横方向に移動自在の内側レールを備え、前記戻り装置に固定部材と、連動部材と、弾性素子と、プッシャーとを備え、前記固定部材と連動部材はそれぞれ金属板材を折り曲げによって加工成形されるオーブン用滑りレールにおいて、
前記固定部材は長い基部を備え、前記基部は２つの対向する側面は側壁を下向きに屈折して延在され、前記基部表面の一辺に案内溝を備え、前記案内溝が側壁の近端に固定溝を埋設され、前記基部の底面は前記案内溝を離れた案内溝の他端に突起ピンが凸設され、固定部材を前記外側レール表面の末端部に固定することによって、前記突起ピンを前記外側レールの末端部に近寄せ、
前記連動部材に摺動シートを備え、前記摺動シートの底面は前記案内溝に位置し往復移動自在の摺動ピンを設けられ、かつ摺動シートは突起ピンの付近部に固定ピンを設けられ、前記固定ピンの他辺の末端部を折り曲げて係止部を延在され、係止部の末端部を固定溝の側壁の外側に寄せつけて、
前記弾性素子の両端部はそれぞれ前記突起ピンと前記摺動ピンに固定され、
前記プッシャーは内側レールが固定部材付近部の表面に設けられ、前記固定部材が前記固定溝付近部の側壁の外側に位置することを特徴とするオーブン用滑りレール。
【請求項２】
前記側壁は基部を離れた末端部に、前記外側レールの表面に固定する延在部が延在されていることを特徴とする請求項１記載のオーブン用滑りレール。
【請求項３】
前記プッシャーは、２つの並列された第１突起部と第２突起部より形成することを特徴とする請求項１記載のオーブン用滑りレール。
【請求項４】
前記固定部材は基部が前記突起ピンを離れた他端にノッチを設け、前記ノッチは固定溝の側壁に連絡し近寄せることを特徴とする請求項１記載のオーブン用滑りレール。
【考案の詳細な説明】
【技術分野】
【０００１】
本考案は一種の滑りレールに関し、特に高温環境に使用でき、かつ戻り機能を備える滑りレールに関する。
【背景技術】
【０００２】
現在の滑りレールは各種の収納、貯蔵器具に大量に使用されている。キャビネットの引き出し操作の便利を図るため、滑りレールの技術が絶えずに進歩し各種の戻り装置によって滑りレールの自動閉まりレール技術も次から次へと考案されている。一方、現在の滑りレールの戻り装置の設計が非常に複雑なものとなっている。よって、加工コストを軽減するため、戻り装置のほとんどはプラスチック射出成形で製造されている。
【考案の概要】
【考案が解決しようとする課題】
【０００３】
しかし、滑りレールをオーブンなどの高温環境で使用する場合、この種の戻り装置は高温によって変形を引き起し使用に堪えられない。そこで、金属塊で加工された戻り装置はコストが高すぎる。
【０００４】
このため、前述課題と欠点を解決することは、関係業者の改善目標となっている。
【課題を解決するための手段】
【０００５】
本考案は、構造簡単な戻り装置を利用し、戻り装置は金属板材の曲げ加工成形によって、滑りレールを戻り装置に取り付けた後、全体の構造が高温に耐えられ、製造コストを軽減することを主な目的とする。
【０００６】
前記目的を達成するため、本考案による滑りレールは滑りレール組と戻り装置とを備え、滑りレール組に外側レールを設け、外側レールに内側レールを内設する。戻り装置は金属板材を曲げ加工によって成形された固定部材と、連動部材とを備える。固定部材を外側レールの内側表面の末端部に固定させ、固定部材の表面に案内溝を埋設する。連動部材を固定部材の表面に設けて、案内溝にて往復移動と旋転しながら固定できる。内側レールを外側レールにて移動させて、連動部材によって戻り固定できる。
【図面の簡単な説明】
【０００７】
【図１】本考案の局所分解立体図である。
【図２】本考案一部の構成品の立体外観図である。
【図３】本考案の内側レールと外側レールとを閉めたときを示す図である。
【図４】本考案の内側レールが外側レールの先端部に移動する態様を示す図（その一）である。
【図５】本考案の内側レールが外側レールの先端部に移動する態様を示す図（その二）である。
【図６】本考案の内側レールが外側レールの末端部に移動する態様を示す図（その一）である。
【図７】本考案の内側レールが外側レールの末端部に移動する態様を示す図（その二）である。
【考案を実施するための形態】
【０００８】
以下、添付図面を参照して本考案の実施の形態を詳細に説明する。
【実施例】
【０００９】
図１と２を参照する。図から明らかなように、本考案による滑りレールは滑りレール組１と戻り装置２を備え、滑りレール組１に外側レール１を設ける。外側レール１１外側レール１１にて横方向に移動される内側レール１２を設ける。戻り装置２は固定部材２１と、連動部材２２と、弾性部材２３とプッシャー２４を設ける。そのうち、内側レール１２と、外側レール１１と、固定部材２１と、連動部材２２それぞれは金属板部材を折り曲げて成形される。
【００１０】
固定部材２１に長い基部２１１を備え、基部２１１は２２つの対応側面に屈折して側壁２１２が延在され、各側壁２１２の末端部は反対方向にそれぞれ横向きに延在部２１３を延在される。基部２１１表面の一辺に案内溝２１１１が埋設され、案内溝２１１１は一辺の側壁２１２に固定溝２１１２を埋設される。基部２１１の底面は案内溝２１１１の遠い辺はさらに突起ピン２１１３を凸設され、他辺の末端部にノッチ２１４を設けられ、ノッチ２１４は固定溝２１１２の側壁２１２に連絡して隣設される。
【００１１】
連動部材２２に摺動シート２２１が設けられ、摺動シート２２１の底面に摺動ピン２２２が設けられ、摺動シート２２１の底面は摺動ピン２２２の一辺に固定ピン２２３を設けられ、固定ピン２２３を離れる他辺の末端部は屈折して係止部２２１１が延在されている。
【００１２】
プッシャー２４を内側レール１２一辺の末端部表面に設けられ、プッシャー２４は２つの並列された第１突起部２４１と、第２突起部２４２によって形成される。
前述とおり、本考案を組み立てるときは連動部材２２に設けられた摺動ピン２２２と固定ピン２２３を固定部材２１の基部２１１表面に設けられた案内溝２１１１をくぐらして、摺動シート２２１を固定部材２１の基部２１１表面に位置させ、係止部２２１１の末端部は固定溝２１１２の側壁２１２の外側に隣接させる。摺動シート２２１底部の固定ピン２２３を固定部材２１の突起ピン２１１３に近づけさせ、摺動ピン２２２と固定ピン２２３を案内溝２１１１内部での往復移動を可能にする。引き続き、弾性素子２３の両端部を突起ピン２１１３と摺動ピン２２２それぞれに固定した上、固定部材２１の延在部２１３を外側レール１１一辺の末端表面に固定させる。このとき、内側レール１２を外側レール１１にくぐらして、固定部材２１とプッシャー２４を内側レール１２と外側レール１１との間に位置させ、プッシャー２４の第１突起部２４１と第２突起部２４２を固定部材２１が固定溝２１１２の側壁２１２に隣接する外側に位置させて、本考案の組立てを完成する。
【００１３】
図３ないし５を参照する。図３から明らかなように、内側レール１２と外側レール１１とを閉めた状態のときに連動部材２２は弾性素子２３の制動を受けて、外側レール１１の末端部に近づけることによって、プッシャー２４は摺動シート２２１の係止部２２１１によって制限され、内側レール１２の固定を形成する。内側レール１２が外力の影響を受けて、外側レール１１の先端部に移動されると、プッシャー２４の第１突起部２４１によって係止部２２１１を押して移動させ、摺動シート２２１を内側レール１２の移動方向に移動させる（図４に示す）。一方、摺動シート２２１は移動と同時に、弾性素子２３が弾性変形を引き起して、弾性素子２３に弾性復帰の力量が形成される。しかし、摺動シート２２１の底面に設けられた摺動ピン２２２と固定ピン２２３は案内溝２１１１に固定されているため、係止部２１１１は係止を受けて、側面方向のスラスト力を受けてもずれない。一方、内側レール１２は連動部材２２を引き続きに移動させることによって、固定ピン２２３を案内溝２１１１の固定溝２１１２に形成させる。このとき、係止部２１１１は第１突起部２４１の押し込みによって発生する側面方向のスラスト力は、摺動シート２２１を摺動ピン２２２に向かって枢転させ、係止部２１１１は旋転しながらノッチ２１４入り込み固定ピン２２３は固定溝２１１２の内部に進入して固定を形成する。固定ピン２２３は固定溝２１１２に進入した後に摺動シート２２１の末端部を固定部材２１の基部２１１より旋転しながら抜き出して、第２突起部２４２を第１突起部２４１の他端に位置することによって、内側レール１２は移動自在の状態（図５に示す）を形成する。
【００１４】
引き続き、図３、６および７を参照する。図６から明かのように、内側レール１２が外側レール１１の末端部に向かって移動しているとき、プッシャー２４の第２突起部２４２は摺動シート２２１が露出された基部２１１の末端部を押し込み、第２突起部２４２によって摺動シート２２１を摺動ピン２２２にしたがって旋転し固定ピン２２３を固定溝２１１２より引き離せて案内溝２１１１に進入させる。一方、係止部２１１１は旋転しながらノッチ２１４より抜き出して、第１突起部２４１が第２突起部２４２を離れた他端に位置する。このとき、係止部２２１１はノッチ２１４より引き離し、かつ摺動ピン２２２と固定ピン２２３とも案内溝２１１１の内部に位置する。摺動シート２２１は弾性素子２３の戻り働きを受けて、外側レール１１の末端部に移動され、移動の過程で、係止部２２１１が第１突起部２４１に係止され、内側レール１２を移動させる。内側レール１２を自動復帰させ、外側レール１１と閉め切る状態を形成する。
【００１５】
その上、プッシャー２４は第１突起部２４１と第２突起部２４２とを並列して形成する。摺動シート２２１の末端部は再び第２突起部２４２に押し込まれて旋転され、係止部２２１１はノッチ２１４より旋転しながら抜き出した後、ちょうど第１突起部２４１の一辺に位置され、係止部２２１１をノッチ２１４より旋転しながら抜き出した後、復帰の働きによる衝撃を避ける。
【００１６】
よって、本考案による公知技術の不足と欠点を解決する主な技術手段は、摺動シート２２１を案内溝２１１１での旋転による固定と移動自在状態を形成し、本考案の構造と配置の簡素化を実現し、金属板材の屈折成形加工を利用して、全体構造を高温に耐える構造に仕上げ、本考案をオーブンなどの高温環境での適用を実現しコストを有効に軽減できる。
【符号の説明】
【００１７】
１          滑りレール組
１１        外側レール
１２        内側レール
２          戻り装置
２１        固定部材
２１１      基部
２１１１    案内溝
２１１２    固定溝
２１１３    突起ピン
２１２      側壁
２１３      延在部
２１４      ノッチ
２２        連動部
２２１      摺動シート
２２１１    係止部
２２２      摺動ピン
２２３      固定ピン
２３        弾性素子
２４        プッシャー
２４１      第１突起部
２４２      第２突起部
【図１】
0003160974.tif 000003
【図２】
0003160974.tif 000004
【図３】
0003160974.tif 000005
【図４】
0003160974.tif 000006
【図５】
0003160974.tif 000007
【図６】
0003160974.tif 000008
【図７】
0003160974.tif 000009